(57)【特許請求の範囲】
【請求項１】
表裏の定められたＱＲコードが付された透明な容器であって、
前記容器表面に表裏反転させて印刷された前記ＱＲコードと、
前記ＱＲコードの表面を覆うように印刷された不透明な白色インクとを設け、
前記容器の裏面側から、当該透明な容器を透過して表裏反転していないＱＲコードを読み取り可能にしたことを特徴とする二次元コード付き容器。
【請求項２】
表裏の定められたＱＲコードの付された透明コードラベルが取り付けられた透明な容器であって、
前記透明コードラベル表面に表裏反転させて印刷された前記ＱＲコードと、
前記ＱＲコードの表面を覆うように印刷された不透明な白色インクとを設け、
前記容器の裏面側から、当該透明な容器及び前記透明コードラベルを透過して表裏反転していないＱＲコードを読み取り可能にしたことを特徴とする二次元コード付き容器。
【請求項３】
前記ＱＲコードは、前記容器内に収容される内容物により読み取りが妨げられることを特徴とする請求項１又は請求項２の二次元コード付き容器。
【発明の詳細な説明】
【技術分野】
【０００１】
本発明は、ＱＲコード（登録商標）、データマトリクス等の左右が定められた二次元コードの付加された容器に関するものである。
【背景技術】
【０００２】
商品の販促のため、ＱＲコード等の情報コードを用いて種々のサービスを提供することが行われている。例えば、何らかの景品や特典を付与するようなサービス情報をＱＲコードに付与しておき、そのＱＲコードを携帯電話のカメラで読み取って、そのＱＲコードの情報データをネットワークを介して指示された送信先に送ることによって、懸賞の応募、特典ポイントの加算などを行うことができる。
【０００３】
このような方法でＱＲコードを用いる場合には、商品の精算前に情報コードを読み取っても応募できるため、商品の購入前に第３者によってＱＲコードが携帯電話等によって盗み見られることを防止しておかなければならない。かかる課題に対応するため特許文献１に、第１のラベルと第２のラベルとを張り合わせた重層ラベルをカンコーヒー等の容器に貼る技術が開示されている。当該技術では、第２のラベルの表面にバーコードを印字することで、重層ラベルの表面からバーコードを読めるようにし、一方で、第１のラベルにＱＲコードを印字し、第２のラベルを剥がさないと第１のラベルのＱＲコードが読めないようにしている。
【０００４】
特許文献２には、ペットボトルなどの筒状容器用のラベル形成基材が開示されている。また、特許文献３には、バーコードが付されたペットボトルの回収を行うリサイクル品減容回収装置が開示されている。
【特許文献１】特開２００４−１９８６１６号公報
【特許文献２】特開平１１−２２４０４９号公報
【特許文献３】特開２００３−９４０２４号公報
【発明の開示】
【発明が解決しようとする課題】
【０００５】
しかしながら、特許文献１の技術では、二次元コードを第１のラベルに印刷した上に、第２のラベルを貼り付けた２層ラベルを作成しなければならなず、手間が掛かる。更に、第２のラベルを剥がすことでＱＲコードが読めるようになること、即ち、ＱＲコードが読み出せるようになるとのメッセージを付加させる必要がある。また、商品に予め広い貼り付け用のスペースが必要なため、商品デザインの自由度が制約されるという課題があった。また、懸賞等のキャンペーン期間のみ、商品やラベル等の作成のために別のデザイン、別の基材を準備しなければならないといった煩雑さもある。
【０００６】
また、容器のリサイクル回収時の分別を省力化、自動化する目的で二次元コードを付加する場合、係る二次元コードは商品購入者にとって不要な情報であるため、目に付かないようにしたいという要請がある。
【０００７】
更に、購入者用の情報を提供する二次元コードと、商品容器のリサイクル回収段階でのみ必要な情報の二次元コードとを付加した際に、購入者は何れの二次元コードを読み取ればよいか分からなくなるという課題がある。
【０００８】
本発明は、上述した課題を解決するためになされたものであり、その目的とするところは、内容物が無くなるまで、付加された二次元コードが目に付かないようにできる二次元コード付き容器を提供することにある。
【課題を解決するための手段】
【０００９】
上記目的を達成するため、請求項１の二次元コード付き容器は、表裏の定められたＱＲコードＱが付された透明な容器１０であって、
前記容器１０表面に表裏反転させて印刷された前記ＱＲコードＱと、
前記ＱＲコードＱの表面を覆うように印刷された不透明な白色インク１４とを設け、
前記容器１０の裏面側から、当該透明な容器１０を透過して表裏反転していないＱＲコードＱを読み取り可能にしたことを技術的特徴とする。
【００１０】
請求項１の二次元コード付き容器１０では、容器１０表面に表裏反転させてＱＲコードＱを印刷し、該ＱＲコードＱの表面を覆うように不透明な白色インク１４を印刷してある。これにより、容器１０の裏面（ＱＲコードＱが印刷された面の対向面）側から、当該透明な容器１０を透過して印刷の裏側から表裏反転したＱＲコードを撮像することで、表裏反転していないＱＲコードＱとして読み取り可能にする。この際に、不透明な白色インク１４がＱＲコードＱの背景のコントラストとして作用する。一方、容器１０に内容物１８が収容されている状態では、該ＱＲコードＱが読み取れない。即ち、内容物が収容されている状態ではＱＲコードＱが読み取れず、収容されていない空の状態でＱＲコードＱが読み取れるようになるので、商品の購入前に第３者によってのＱＲコードが携帯電話等によって盗み見られることを防止できる。また、容器の回収情報等の購入者に不要な情報を購入前は目に付かなくすることができる。更に、容器の表面（外面）側にＱＲコードＱを印刷するので、ＱＲコードの印刷インクが内容物に触れることがないので、食料品等を収容するのに好適である。
【００１１】
請求項２の二次元コード付き容器１１０は、表裏の定められたＱＲコードＱの付された透明コードラベル１１２が取り付けられた透明な容器１１０であって、
前記透明コードラベル１１２表面に表裏反転させて印刷された前記ＱＲコードＱと、
前記ＱＲコードＱの表面を覆うように印刷された不透明な白色インク１１４とを設け、
前記容器１１０の裏面側から、当該透明な容器１１０及び前記透明コードラベル１１２を透過して表裏反転していないＱＲコードＱを読み取り可能にしたことを技術的特徴とする。
【００１２】
請求項２の二次元コード付き容器１０では、取り付けられる透明コードラベル１１２の表面に表裏反転させてＱＲコードＱを印刷し、該ＱＲコードＱの表面を覆うように不透明な白色インク１１４を印刷してある。これにより、容器１１０の裏面（ＱＲコードが印刷された透明コードラベル１１２の付加された面の対向面）側から、当該透明な容器１１０及び当該透明コードラベル１１２を透過して印刷の裏側から表裏反転したＱＲコードＱを撮像することで、表裏反転していないＱＲコードＱとして読み取り可能にする。この際に、不透明な白色インク１１４がＱＲコードＱの背景のコントラストとして作用する。一方、容器１１０に内容物が収容されている状態では、該ＱＲコードＱが読み取れない。即ち、内容物が収容されている状態ではＱＲコードが読み取れず、収容されていない空の状態でＱＲコードが読み取れるようになるので、商品の購入前に第３者によってＱＲコードが携帯電話等によって盗み見られることを防止できる。また、容器の回収情報等の購入者に不要な情報を購入前は目に付かなくすることができる。
【００１３】
請求項３では、ＱＲコードＱは、容器１０内に収容される内容物１８により読み取りが妨げられる。内容物１８が収容されている状態ではＱＲコードＱが読み取れず、収容されていない空の状態でＱＲコードＱが読み取れるようになるので、商品の購入前に第３者によってＱＲコードが携帯電話等によって盗み見られることを防止できる。また、容器の回収情報等の購入者に不要な情報を購入前は目に付かなくすることができる。
【発明を実施するための最良の形態】
【００１４】
[第１実施形態]
先ず、第１実施形態の容器に付加された情報コードを読み取る情報コード読取装置について図１及び図２を参照して説明する。図１は、情報コード読取装置２０の全体構成を示し、図２は、情報コード読取装置２０の光学系３０を示している。
情報コード読取装置２０は、ケース２２を備えている。ケース２２の後方部は操作者が手で握るための把持部２２ｂが形成されている。ケース２２の前方部の下部には、読取口２２ａが設けられている。ケース２２内には、光学系３０が収容されている。該光学系３０は、照射用発光ダイオード３４、結像レンズ３２、およびエリアセンサ３６を備えている。
【００１５】
第１実施形態では、照射用発光ダイオード３４からの照射光がケース２２外部のＱＲコードＱを照射する。ＱＲコードＱにより反射された赤色光は、再度、ケース２２内に入り結像レンズ３２へ入射し、受光素子がマトリクス状に配列されたエリアセンサ３６にＱＲコードの像を結像させる。このＱＲコードの像を光電変換して読み取ったエリアセンサ３６は、像のパターンを表す電気信号として制御回路（図示せず）側に出力する。制御回路は、エリアセンサ３６からＱＲコードの読み取りデータををデコード（解読）して、ＱＲコードが表している情報を得、所定タイミングで、電波による無線通信あるいは有線で図示しない上位装置へ送信する。
【００１６】
引き続き、上記情報コード読取装置２０で読み取るＱＲコードが付加された容器について、図３〜図５を参照して説明する。
図３及び図４は、２枚のフィルム状透明基材１２Ａ、１２Ｂを張り合わせてなる袋状の透明容器１０にＱＲコードを印刷する行程を示す説明図であり、図５（Ａ）は、図３（Ａ）中のｃ−ｃ断面図であり、図５（Ｂ）は、図３（Ｂ）中のｄ−ｄ断面図であり、図５（Ｃ）は、図４（Ａ）中のｅ−ｅ断面図である。
図３（Ａ）は、印刷前の容器１０の表側を示している。図３（Ａ）中のｃ−ｃ断面図である図５（Ａ）中には、透明容器１０を構成する表側の透明基材１２Ａと裏側の透明基材１２Ｂとが示されている。
【００１７】
図３（Ｂ）は、該表側の透明基材１２Ａの表面（外面側）にＱＲコードＱを左右反転させて黒色インクで印刷した状態を示し、図３（Ｂ）中のｄ−ｄ断面を図５（Ｂ）中に示す。図４（Ａ）は、反転させたＱＲコードＱの上側に、当該ＱＲコードを覆うように白色インク１４を印刷した状態を示している。該白色インク１４の上には、さらに「さくさくスナック」の文字を印刷してある。図４（Ａ）中のｅ−ｅ断面を図４（Ｃ）中に示す。
【００１８】
図４（Ｂ）は、図４（Ａ）の透明容器を裏面側から見た状態を示している。第１実施形態の透明容器１０では、容器表面に左右反転させてＱＲコードＱを印刷し、該ＱＲコードの表面を覆うように白色インク１４を印刷してある。これにより、容器の裏面（ＱＲコードＱが印刷された表側の透明基材１２Ａ面の対向する裏側の透明基材１２Ｂ）側から、当裏側の透明基材１２Ｂ及び表側の透明基材１２Ａを透過して、左右反転し裏返したＱＲコードＱを図１を参照して上述した情報コード読取装置２０で撮像することで、左右反転していないＱＲコードＱとして読み取り可能にする。この際に、白色インク１４がＱＲコードの背景のコントラストを構成する。
【００１９】
図５（Ｄ）は、透明容器１０内に内容物（例えば、黒砂糖）１８が収容された状態を示す断面図である。透明容器１０に内容物１８が収容されている状態では、ＱＲコードＱが読み取れない。即ち、内容物１８が収容されている状態ではＱＲコードＱが読み取れず、収容されていない空の状態でＱＲコードＱが読み取れるようになるので、商品の購入前に第３者によってＱＲコードＱが携帯電話等によって盗み見られることを防止できる。また、容器の回収情報等の購入者に不要な情報を購入前は目に付かなくすることができる。更に、容器の外側にＱＲコードＱを印刷するので、ＱＲコードの印刷インクが内容物に触れることがないので、食料品等を収容するのに好適である。
【００２０】
ここで、ＱＲコードが表裏反転した場合に、通常の二次元コードリーダでは、読み取りができない理由を図９を参照して説明する。
ＱＲコードは、原則的に、４行２列の矩形状に配置された８個のモジュールを一組にして１語のシンボルキャラクタが構成されており、その詳細は、ＱＲコードの基本仕様（日本工業規格；ＪＩＳ Ｘ ０５１０：２００４、以下これを単に「ＪＩＳ規格」という。）に規定されている。
【００２１】
例えば、図９に示すように、２Ｍ型のＱＲコードの場合には、データコード語がＤ１〜Ｄ２８の２８語、誤り訂正コード語がＥ１〜Ｅ１６の１６語で構成されており、これらの各シンボルキャラクタは、それぞれＪＩＳ規格に従って所定位置に配置されている。このため、ＱＲコードを表裏反転した場合には、位置検出パターンやタイミングパターン等の配置は表裏同様であっても、データコード語および誤り訂正コード語の配置や並びの方向が表裏では異なることから、本来、データコード語が存在すべき位置に誤り訂正コード語が配置されていたり、８モジュールで１語が構成されているシンボルキャラクタの内容も各モジュールの配置の変更により本来の内容とは全く異なったものに化けてしまう。
【００２２】
したがって、表裏反転したＱＲコードを通常の二次元コードリーダで読み取ろうとしても、ＱＲコードの存在までは確認できるかもしれないが、誤り訂正コード語自体もデータ化けを起こしているため、誤り訂正機能は正常に働くことなく、完全にデコードできる可能性は皆無といっても過言ではない。
【００２３】
[第１実施形態の改変例]
図６を参照して第１実施形態の改変例に係る二次元コード付き容器について説明する。
図６（Ａ）は、第１実施形態の改変例に係る透明容器１０の正面図であり、図６（Ｂ）は背面図である。
第１実施形態の改変例でも、第１実施形態と同様に、表側の透明基材１２Ａの表面（外面側）にＱＲコードＱを左右反転させて黒色インクで印刷し、更に、当該ＱＲコードを覆うように白色インク１４を印刷してある。更に、第１実施形態の改変例では、白色インク１４の表面側に、左右反転させない第２のＱＲコードＱ２が印刷されている。ここで、図６（Ｂ）に示すように内容物が無い状態になったら読み取り可能になるＱＲコードＱには、容器リサイクルの際の分別のための情報が記録されている。一方、図６（Ａ）に示す表側に印刷された第２のＱＲコードＱ２には、購入者のための商品説明の情報が記録されている。
【００２４】
第１実施形態の改変例では、購入者用の情報を提供する表面側のＱＲコードＱ２と、容器１０のリサイクル回収段階でのみ必要な情報のＱＲコードＱとを付加したてある。しかし、購入者は内容物を空にするまでは、ＱＲコードＱを読み取ることが出来ないため、間違ってＱＲコードを読み取ることが無くなる。
【００２５】
[第２実施形態]
図７及び図８を参照して本発明の第２実施形態に係る容器について説明する。
図７（Ａ）は、第２実施形態の透明容器の正面図であり、図７（Ｂ）は裏面図である。
上述した第１実施形態では、容器が透明な袋により構成され、ＱＲコードが直接印刷された。これに対して、第２実施形態では、容器１１０がペットボトルよりなり、ＱＲコードが印刷された透明コードラベル１１２が貼り付けられている。
【００２６】
図８は、透明容器の製造工程を示す断面図である。
図８（Ａ）は、透明フィルム１１６から成る透明コードラベル１１２の断面を示している。図８（Ｂ）は、該透明コードラベル１１２の表面（外面側）にＱＲコードＱを左右反転させて黒色インクで印刷した状態を示す。図８（Ｃ）は、反転させたＱＲコードＱの上側に、当該ＱＲコードを覆うように白色インク１１４を印刷した状態を示している。該白色インク１１４の上には、図７（Ａ）に示すように更に「霧が育てた本格烏龍茶」の文字が印刷してある。図４（Ｃ）に示す透明コードラベル１１２を、図８（Ｄ）に示すように容器１１０に貼り付ける。
【００２７】
図７（Ｂ）の裏面図に示すように、第２実施形態の透明容器１１０では、透明コードラベル１１２表面に左右反転させてＱＲコードＱを印刷し、該ＱＲコードの表面を覆うよう白色インク１４が印刷してある。これにより、容器１１０の裏面（透明コードラベル１１２が貼られた面と対向する裏側の面）側から、透明容器１１０及び透明コードラベル１１２を透過して、左右反転裏返したＱＲコードＱを図１を参照して上述した情報コード読取装置２０で撮像することで、左右反転していないＱＲコードＱとして読み取り可能にする。この際に、白色インク１１４がＱＲコードの背景のコントラストを構成する。
【００２８】
透明容器１１０に内容物（例えば飲料水等）が収容されている状態では、ＱＲコードＱが読み取れない。即ち、内容物が収容されている状態ではＱＲコードＱが読み取れず、収容されていない空の状態でＱＲコードＱが読み取れるようになるので、商品の購入前に第３者によってＱＲコードＱが携帯電話等によって盗み見られることを防止できる。また、容器の回収情報等の購入者に不要な情報を購入前は目に付かなくすることができる。
【００２９】
第２実施形態では、透明なペットボトルを用いたが、半透明、又は、有色のペットボトルを用い、透明コードラベル１１２を容器１１０から剥離しない限り、裏面からもＱＲコードを読み取れないようにし、該ＱＲコードに購入者側への特典情報を記録することで、容器１１０と透明コードラベル１１２との分別を行わしめ、リサイクルを容易にすることも可能である。
【図面の簡単な説明】
【００３１】
【図１】情報コード読取装置の構成を示す断面図である。
【図２】情報コード読取装置の要部の構成を示す断面図である。
【図３】第１実施形態に係る透明容器にＱＲコードを印刷する行程を示す説明図である。
【図４】第１実施形態に係る透明容器にＱＲコードを印刷する行程を示す説明図である。
【図５】図５（Ａ）は、図３（Ａ）中のｃ−ｃ断面図であり、図５（Ｂ）は、図３（Ｂ）中のｄ−ｄ断面図であり、図５（Ｃ）は、図４（Ａ）中のｅ−ｅ断面図であり、図５（Ｄ）は、内容物が充填された状態の透明容器の断面図である。
【図６】図６（Ａ）は第１実施形態の改変例に係る透明容器１０の正面図であり、図６（Ｂ）は背面図である。
【図７】図７（Ａ）は第２実施形態の透明容器の正面図であり、図７（Ｂ）は裏面図である。
【図８】第２実施形態の透明容器の製造工程を示す断面図である。
【図９】ＱＲコードの規格を示す説明図である。
【符号の説明】
【００３２】
１０  透明容器
１２Ａ  表側の透明基材
１２Ｂ  裏側の透明基材
１４  白色インク
１８  内容物
１１０  透明容器
１１２  ラベル
１１４  白色インク
Ｑ  ＱＲコード（二次元コード）
【図１】
0004802784.tif 000002
【図２】
0004802784.tif 000003
【図３】
0004802784.tif 000004
【図４】
0004802784.tif 000005
【図５】
0004802784.tif 000006
【図６】
0004802784.tif 000007
【図７】
0004802784.tif 000008
【図８】
0004802784.tif 000009
【図９】
0004802784.tif 000010